(57)【要約】【課題】複数のネットワークオペレータの環境下で使用可能で、ネットワークオペレータに応じて機能を切り替え可能な移動端末装置及びその機能切替方法を提供する。【解決手段】移動端末装置５０は、無線通信網を介して無線通信を行う無線部５１と、加入者識別情報が記録された情報記録媒体から、それを発行する通信事業者を特定する通信事業者情報を読み出す通信事業者情報読出部５２と、通信事業者情報に基づいて、無線通信部５１による無線通信のための機能を切り替える機能切替部５３とを有する。【選択図】図１
2009239810.tif 000002
【特許請求の範囲】
【請求項１】
無線通信網を介して無線通信が可能な移動端末装置であって、
加入者識別情報が記録された情報記録媒体から、該情報記録媒体を発行する通信事業者を特定する通信事業者情報を読み出す手段と、
前記通信事業者情報に基づいて、前記無線通信のための自装置の機能を切り替える機能切替手段とを有することを特徴とする移動端末装置。
【請求項２】
前記通信事業者情報は、国識別情報と通信事業者識別情報とを含むことを特徴とする請求項１記載の移動端末装置。
【請求項３】
前記機能切替手段が切り替える機能は、自装置に適用するユーザインタフェースであることを特徴とする請求項１又は２記載の移動端末装置。
【請求項４】
前記ユーザインタフェースのデータを格納するＵＩ情報保持手段を有し、
前記機能切替手段は、前記ＵＩ情報保持手段に格納されているユーザインタフェースの何れかを選択し、そのユーザインタフェースを自装置に適用することを特徴とする請求項１又は２記載の移動端末装置。
【請求項５】
前記ユーザインタフェースのデータが格納されたリムーバブル記録媒体から前記ユーザインタフェースのデータを取得する手段を有し、
前記機能切替手段は、前記リムーバブル記録媒体から取得したユーザインタフェースのデータの何れかを選択し、そのユーザインタフェースを自装置に適用することを特徴とする請求項３記載の移動端末装置。
【請求項６】
前記機能切替手段は、前記情報記録媒体に格納されている前記ユーザインタフェースのデータのいずれかを選択し、そのユーザインタフェースを自装置に適用することを特徴とする請求項３記載の移動端末装置。
【請求項７】
前記機能切替手段が適用したユーザインタフェースを使用するか否かを選択可能であることを特徴とする請求項１から６のいずれか１項記載の移動端末装置。
【請求項８】
無線通信網を介して無線通信が可能な移動端末装置の機能を切り替える方法であって、
前記移動端末装置に、
加入者識別情報が記録された情報記録媒体から、該情報記録媒体を発行する通信事業者を特定する通信事業者情報を読み出す工程と、
前記通信事業者情報に基づいて、前記無線通信のための自装置の機能を切り替える機能切替工程とを実行させることを特徴とする移動端末装置の機能切替方法。
【請求項９】
前記通信事業者情報は、国識別情報と通信事業者識別情報とを含むことを特徴とする請求項８記載の移動端末装置の機能切替方法。
【発明の詳細な説明】
【技術分野】
【０００１】
本発明は、ネットワークオペレータに応じて機能を自動的に切り替える移動端末装置及びその機能を備えた移動端末装置に関する。
【背景技術】
【０００２】
携帯電話機やＰＤＡ（Personal Digital Assistance、又はPersonal Digital Assistants：個人向け携帯型情報通信機器）などの移動端末は、従来は所定の通信事業者（以下、ネットワークオペレータと称する）の環境下のみで使用可能であった。
【０００３】
しかし、近年では、一つの携帯電話機を複数のネットワークオペレータの環境下で使用できることに対する要求が高まっている。
【０００４】
ところが、ネットワークオペレータによっては、独自の操作性やサービスを展開していることも少なくない。よって、音声通話は使用できてもデータ通信用のユーザインタフェース（User Interface：ＵＩ）が搭載されていなかったり、機能そのものを搭載していないなどといった理由によって、ネットワークオペレータ用の端末を使用しなければ、そのネットワークオペレータが提供している機能の一部を使用できないといった状況も発生している。
【０００５】
また、逆にＵＩ上は存在するがネットワークオペレータがその機能を提供していないなど、ネットワークオペレータが提供している機能とＵＩとが一致しておらず、使用できる機能とＵＩとに矛盾が発生して使いにくいという状況も発生している。
【０００６】
そのため、ネットワークオペレータに合わせてネットワークオペレータ用のＵＩ、ネットワークオペレータ特有のサービスを実現する機能を切り替えることが必要とされている。
【０００７】
情報端末の設定に関連する技術として、特許文献１に開示される「情報端末及び情報端末設定プログラム」がある。
特許文献１に開示される発明は、自端末に接続された携帯電話機に挿入されているＳＩＭ（Subscriber Identity Module）カードから取得した情報に基づいて、ユーザが属する国の言語に合わせた画面表示を行ったり、提供サービスを利用するためのプログラムのダウンロードを行ったりする情報端末に関するものである。
【特許文献１】特開２００３−１３４２５７号公報
【発明の開示】
【発明が解決しようとする課題】
【０００８】
しかし、特許文献１に開示される発明は、ＳＩＭカードから取得した情報に基づいて情報端末の設定を行うものの、ＵＩそのものを変更するものではない。すなわち、ある機能を提供していないネットワークオペレータが発行したＳＩＭカードを携帯電話機に挿着した場合には、その機能を利用しないように設定がなされるものの、ＵＩは変更されないため、ユーザにとってはネットワークオペレータがその機能を提供しているのか否かを把握できない。このため、ＳＩＭカードが挿入された時点でその機能を利用しない設定がされても、ユーザが自身で設定を変更してしまう可能性がある。
また、ＵＩ上で設定ができない機能に関しては、ネットワークオペレータに応じて切り替えることできない。
【０００９】
本発明はかかる問題に鑑みてなされたものであり、複数のネットワークオペレータの環境下で使用可能で、ネットワークオペレータに応じて機能を切り替え可能な移動端末装置及びその機能切替方法を提供することを目的とする。
【課題を解決するための手段】
【００１０】
上記目的を達成するため、本発明は、第１の態様として、無線通信網を介して無線通信が可能な移動端末装置であって、加入者識別情報が記録された情報記録媒体から、該情報記録媒体を発行する通信事業者を特定する通信事業者情報を読み出す手段と、通信事業者情報に基づいて、無線通信のための自装置の機能を切り替える機能切替手段とを有することを特徴とする移動端末装置を提供するものである。
【００１１】
また、上記目的を達成するため、本発明は、第２の態様として、無線通信網を介して無線通信が可能な移動端末装置の機能を切り替える方法であって、移動端末装置に、加入者識別情報が記録された情報記録媒体から、該情報記録媒体を発行する通信事業者を特定する通信事業者情報を読み出す工程と、通信事業者情報に基づいて、無線通信のための自装置の機能を切り替える機能切替工程とを実行させることを特徴とする移動端末装置の機能切替方法を提供するものである。
【発明の効果】
【００１２】
本発明によれば、複数のネットワークオペレータの環境下で使用可能で、ネットワークオペレータに応じて機能を切り替え可能な移動端末装置及びその機能切替方法を提供できる。
【発明を実施するための最良の形態】
【００１３】
図１に示すように、本発明に係る移動端末装置５０は、無線通信網を介して無線通信を行う無線部５１と、加入者識別情報が記録された情報記録媒体から、それを発行する通信事業者を特定する通信事業者情報を読み出す通信事業者情報読出部５２と、通信事業者情報に基づいて、無線通信部５１による無線通信のための機能を切り替える機能切替部５３とを有することを特徴とする。
このような構成とすることにより、ＳＩＭカードやＵＳＩＭカードなどに記録されている通信事業者情報に基づいて、その通信事業者に適した機能を移動端末装置に適用できる。
【００１４】
以下、本発明に係る移動端末装置の好適な実施の形態について説明する。
【００１５】
〔第１の実施形態〕
本発明を好適に実施した第１の実施形態について説明する。図２に本実施形態に係る移動端末装置の構成を示す。移動端末装置１００は、ＳＩＭ、ＵＳＩＭ（Universal Subscriber Identity Module）を使用可能な装置である。具体的には、移動端末装置１００は、携帯電話端末、ＰＨＳ（Personal Handyphone System）やＰＤＡ等の携帯型移動端末である。なお、図２においては、本発明の要部の構成のみを示し、本質とは関係の無い部分の構成は省略している。
【００１６】
ＳＩＭ、ＵlＳＩＭ内にはネットワークオペレータの情報があり、国識別情報（モバイルカントリーコード：ＭＣＣ：Mobile Country Code）、通信事業者識別情報（モバイルネットワークコード：ＭＮＣ：Mobile Network Code）などで示される。
【００１７】
移動端末装置１００は、制御部１０２、無線送受信部１０４、表示部１０６、キー入力部１０８、入力受付部１１０、ＵＳＩＭ読出部１１４、及びＵＩ情報保持部１１６を備えている。
【００１８】
制御部１０２は、無線送受信部１０４、表示部１０６、入力受付部１１０、ＵＳＩＭ読出部１１４及びＵＩ情報保持部１１６と電気的に接続され、移動端末装置１００の各要素とともに装置全体を制御する。制御部１０２は、移動端末装置１００のネットワークとの通信制御や、移動端末装置１００上のソフトウェアなどの実行及び制御、画面表示制御、キー入力制御を司る。制御部１０２は、図１における機能切替部５３に相当する。
【００１９】
無線送受信部１０４は、インターネットなどのネットワークへ無線通信によって接続し、通信を行う。具体的には、無線送受信部１０４は、制御部１０２からの電気信号を変調して無線信号としてネットワークへ送出し、ネットワークからの無線信号を復調してディジタル信号（電気信号）として制御部１０２へ出力する。また、無線送受信部１０４は、制御部１０２からの指示に従ってネットワークに接続して通信する。無線送受信部１０４は、図１における無線通信部５１に相当する。
【００２０】
表示部１０６は、液晶や有機ＥＬ（Electro Luminescence）などを用いた表示器であり、制御部１０２から送出された画面表示制御信号を用いて画面表示を行う。キー入力部１０８は、移動端末装置１００の操作面に設けられた複数の操作キーを有する。入力受付部１１０は、キー入力部１０８が受け付けた操作キーからの入力を信号に変換し、制御部１０２へ出力する。
【００２１】
ＵＳＩＭ読出部１１４は、ＳＩＭ、ＵＳＩＭからネットワークオペレータの情報を読み出す。ＳＩＭやＵＳＩＭから読み出せる情報は、国コード（ＭＣＣ）と、通信事業者であるキャリアを表すモバイルネットワークコード（ＭＮＣ）とを含む。ＵＳＩＭ読出部１１４は、図１における通信事業者情報読出部５２に相当する。
【００２２】
ＵＩ情報保持部１１６は、ネットワークオペレータのＵＩ情報を記憶する。図３に、ＵＩ情報保持部１１６の構成例を示す。図示するように、ＵＩ情報保持部１１６には、「国コード（ＭＣＣ）」１２４と通信事業者であるキャリアを表す「モバイルネットワークコード（ＭＮＣ）」と、ネットワークオペレータ用のＵＩを表す「ユーザインタフェース名」とが対応付けて記憶される。なお、図３には図示していないが、ＵＩ情報保持部１１６には、各ＵＩのデータ自体も記憶されている。
【００２３】
移動端末装置１００は、複数のネットワークオペレータ用のＵＩ、及びそのネットワークオペレータ特有のサービスを実現する機能をＵＩ情報保持部１１６に格納している。そして、ＳＩＭ、ＵＳＩＭ内に登録されているネットワークオペレータの情報がＵＩ情報保持部に格納しているネットワークオペレータ情報と一致した場合、そのネットワークオペレータ用のＵＩ及びそのネットワークオペレータ特有のサービスを実現する機能をユーザに提供する。
【００２４】
図４に、本実施形態に係る移動端末装置１００がＵＩを適用する動作の流れを示す。また、図５に、移動端末装置１００の表示部１０６に表示される選択画面の一例を示す。
ユーザは事前に移動端末装置１００を操作してネットワークオペレータ用ＵＩを使用するか否かを設定しておく。制御部１０２は、ユーザの操作に応じて図５に示すような選択画面３００を表示部１０６に表示する。選択画面３００は、ネットワークオペレータ用ＵＩを使用するか否かの選択をユーザに求める選択リスト３０２を含んでいる。
【００２５】
移動端末装置１００の操作面に設けられたキー入力部１０８である複数の操作キー２１０がユーザによって操作されて、ネットワークオペレータ用ＵＩを使用するか否かが選択されると、入力受付部１１０は、キー入力部１０８を介しての入力操作を受け付け、制御部１０２に通知する。このようにして、ネットワークオペレータ用ＵＩの使用設定が予めなされる。
【００２６】
設定終了後、移動端末装置１００の電源投入時に（ステップＳ１０１）、ネットワークオペレータ用ＵＩを使用するか否かを制御部１０２が判断する（ステップＳ１０３）。ネットワークオペレータ用ＵＩを使用しない場合（ステップＳ１０３／Ｎｏ）、制御部１０２はＵＳＩＭ読出部１１４にアクセスし、ＳＩＭ、ＵＳＩＭ内のネットワークオペレータの情報を読み出す（ステップＳ１０５）。そして、制御部１０２はデフォルトのＵＩを読み出す（ステップＳ１０７）。そして、制御部１０２は、そのＵＩを移動端末装置１００に適用する（ステップＳ１１７）。
【００２７】
一方、ネットワークオペレータ用ＵＩを使用する場合（ステップＳ１０３／Ｙｅｓ）、制御部１０２はＵＳＩＭ読出部１１４にアクセスし、ＳＩＭ、ＵＳＩＭ内のネットワークオペレータの情報を読み出す（ステップＳ１０９）。読み出したネットワークオペレータの情報（国コード１２４、モバイルネットワークコード１２６）がＵＩ情報保持部１１６に含まれているか否かを判断する（ステップＳ１１１）。ＳＩＭ、ＵＳＩＭ内のネットワークオペレータの情報がＵＩ情報保持部１１６に格納されていれば（ステップＳ１１１／Ｙｅｓ）、そのネットワークオペレータ用のＵＩをＵＩ情報保持部１１６から読み出す（ステップＳ１１３）。そして、制御部１０２は、そのＵＩを移動端末装置１００に適用する（ステップＳ１１７）。
【００２８】
また、ＳＩＭ、ＵＳＩＭ内のネットワークオペレータの情報がＵＩ情報保持部１１６に格納されていなかった場合は（ステップＳ１１１／Ｎｏ）、デフォルトのＵＩを読み出す（ステップＳ１０７）。そして、制御部１０２は、そのＵＩを移動端末装置１００に適用する（ステップＳ１１７）。
【００２９】
このように、本実施形態に係る移動端末装置１００は、複数のネットワークオペレータ用の機能を自動で切り替えることができる。ＵＩを切り替える場合には、利用するネットワークオペレータ特有のサービスを表示するとともに、利用しないネットワークオペレータ特有のサービスを非表示とできる。利用しないサービスをＵＩ上で非表示とすることで、ユーザはネットワークオペレータがそのサービスを提供していないことを容易に把握できるとともに、提供されていないサービスを利用するように誤って設定を変更してしまう恐れが無くなる。
【００３０】
ここでは、複数のネットワークオペレータ用のＵＩを自動で切り替える動作を例に説明したが、移動端末装置のＵＩ上の設定では実現不能な機能自体の切り替えを行うことも可能である。例えば、ＷＣＤＭＡと無線ＬＡＮとの両方のサービスを提供しているネットワークオペレータのＵＳＩＭであるということを、ＵＩ情報保持部１１６の情報を基に制御部１０２が認識した場合はＷＣＤＭＡの基地局と無線ＬＡＮの基地局との両方をサーチし、ＷＣＤＭＡのサービスのみを提供しているネットワークオペレータのＵＳＩＭであるということを認識した場合は、無線ＬＡＮの基地局をサーチしないようにできる。このように機能を切り替えることで、消費電力を低減することが可能となる。
【００３１】
本実施形態に係る移動端末装置は、複数のネットワークオペレータのＳＩＭ、ＵＳＩＭを切り替えて装着する場合でも、ネットワークオペレータごとに機能を切り替えたり、ＵＩを切り替えたりできるため、不要な操作をユーザに強いることがなく、使い勝手が良い。
また、移動端末装置の製造メーカにとっても、ネットワークオペレータごとに異なる移動端末装置を製造する必要がないため、製造コストの低減が可能となる。
【００３２】
〔第２の実施形態〕
本発明を好適に実施した第２の実施形態について説明する。
図６に、本実施形態に係る移動端末装置の構成及びネットワーク構成を示す。
本実施形態に係る移動端末装置４００は、ＵＩ情報保持部の代わりに記録媒体４０２にＵＩ情報４０４を格納する点で第１の実施形態と相違する。
記録媒体４０２は、メモリカードなどと呼ばれる公知の書き換え可能な半導体外部記録媒体であり、ＵＩ情報４０４を記憶する。なお、いわゆるＵＳＢメモリのように、装置外に装着するタイプのものでも良い。
【００３３】
移動端末装置４００は、ＵＩ情報４０４を予め格納した記録媒体４０２を装着することにより、ＳＩＭ、ＵＳＩＭ内のネットワークオペレータ情報に対応したＵＩの検出を行える。ＵＩ情報４０４は、ネットワークを介してネットワークオペレータのウェブページから取得し、記録媒体４０２に格納することも可能である。
【００３４】
本実施形態においては、第１の実施形態と同様の効果に加え、別の移動端末装置４００に記録媒体４０２を挿入するだけで、記録媒体４０２に格納されているＵＩ情報４０４を使用させることができるので、利便性に優れる。
【００３５】
なお、ここではＵＩ情報がメモリカードに格納される場合を例としたが、図７に示すように、ＵＳＩＭカード４０６（又はＳＩＭカード）内のユーザエリアにＵＩ情報４０４を格納してもよい。
【００３６】
また、ここでは、複数のネットワークオペレータ用のＵＩを自動で切り替える動作を例に説明したが、第１の実施形態と同様に、移動端末装置のＵＩ上の設定では実現不能な機能自体の切り替えを行うことも可能であることは言うまでもない。
【００３７】
なお、上記各実施形態は本発明の好適な実施の一例であり、本発明はこれに限定されることはなく、本発明は様々な変形が可能である。
【図面の簡単な説明】
【００３８】
【図１】本発明に係る移動端末装置の構成を示す図である。
【図２】本発明を好適に実施した第１の実施形態に係る移動端末装置の構成を示す図である。
【図３】ＵＩ情報保持部に格納される情報の一例を示す図である。
【図４】第１の実施形態に係る移動端末装置のＵＩ選択動作の流れを示す図である。
【図５】選択画面の表示例を示す図である。
【図６】本発明を好適に実施した第２の実施形態に係る移動端末装置の構成を示す図である。
【図７】ＵＳＩＭカード内にＵＩ情報を格納する場合の移動端末装置の構成を示す図である。
【符号の説明】
【００３９】
５０、１００、４００    移動端末装置
５１    無線通信部
５２    通信事業者情報読出部
５３    ＵＩ設定部
１０２    制御部
１０４    無線送受信部
１０６    表示部
１０８    キー入力部
１１０    入力受付部
１１４    ＵＳＩＭ読出部
１１６    ＵＩ情報保持部
４０２    記録媒体
４０４    ＵＩ情報
４０６    ＵＳＩＭカード
【図１】
2009239810.tif 000003
【図２】
2009239810.tif 000004
【図３】
2009239810.tif 000005
【図４】
2009239810.tif 000006
【図５】
2009239810.tif 000007
【図６】
2009239810.tif 000008
【図７】
2009239810.tif 000009